(57)【特許請求の範囲】
【請求項１】
外枠と、
前記外枠に対し開閉可能に設けられてなる前面枠と、
前記前面枠に直接又は間接的に設けられ、遊技球が流下しうる遊技領域を有してなる遊技盤と、
前記遊技盤の前側において開閉可能に設けられ、前記遊技領域を視認可能な透明板を有してなる透明板扉枠と、
前記遊技盤の裏面側に設けられ、球払出装置が設けられる機構盤と、
前記透明板よりも下側に設けられ、前記球払出装置により払い出される遊技球を貯留可能であり、遊技球を遊技球発射部の方へ案内可能な上球受部と、
前記上球受部よりも下方に設けられ、遊技球を貯留可能であり、操作部が設けられるとともに底部には開口部及び閉鎖部材が設けられ、前記操作部が操作されることで、前記閉鎖部材が移動して前記開口部が開口状態となり、遊技球を落下させることのできる下球受部と
を備える遊技機において、
前記下球受部は、前記透明板よりも前面側に突出する下球受部突出部と、前記透明板よりも奥側に拡張形成され最奥が前記遊技盤の後面よりも奥側に位置する下球受部拡張部とを備え、かつ、
最上部において前記上球受部に開口し、かつ、奥側から遊技球が入球可能となるようセパレータで区画された連通路入口部を有するとともに、前記上球受部に払い出された遊技球を、前記機構盤を介さずに前記下球受部の下球受部拡張部へと下降させる連通路を設け、
前記上球受部には、払い出された遊技球を、前記連通路入口部よりも前記遊技球発射部の方へ優先的に案内するガイド部を前記セパレータとは別に設け、
さらに、前記下球受部内の遊技球を前記下球受部内に均等に充填させるためのバイブレータを設けたことを特徴とする遊技機。
【発明の詳細な説明】
【技術分野】
【０００１】
本発明は、パチンコ機等の遊技機に関するものである。
【背景技術】
【０００２】
従来より、パチンコ機は、外枠と、外枠に対し開閉可能に取着された前面枠と、前面枠に取着され、遊技領域を有してなる遊技盤と、前記前面枠に対し開閉可能に取着され、前後に所定間隔を隔てて一対のガラス板を有してなるガラス扉枠とを備えている。また、ガラス扉枠の下側において、遊技球発射部を覆うように前面枠に対し前飾枠が開閉可能に取着されている。かかる前飾枠には、上受皿が設けられており、上受皿に貯留された遊技球は、遊技球発射部の方へと案内されるようになっている。なお、前記前面枠の下部には下受皿及びハンドル等が設けられている。
【０００３】
遊技盤の前面には、略円弧状の外側案内レールが敷設され、また、その内側において内側案内レールが敷設されている。さらに、内側案内レールの略上端部及び外側案内レール間には出口部が設けられ、遊技球発射部から発射された遊技球は両案内レールによって案内された後、該出口部から遊技盤面上部の遊技領域へと放出される。そして、遊技者は、遊技領域に沿って落下する遊技球の挙動等を堪能する。
【０００４】
遊技盤を落下する遊技球が入賞口に入賞すると、遊技者に対し、所定の景品球が払い出されるようになっている。より詳しくは、遊技盤の裏面側には、機構盤が装着されており、該機構盤には、景品球払出装置が設けられている。景品球払出装置が駆動されると、タンクに貯留されている景品球は、タンクレール、当該景品球払出装置、及び景品球払出通路を通って前記上受皿の払出出口へと導かれる。また、上受皿が満タン状態の場合には、前記景品球は景品球払出通路の途中に設けられた溢出口からオーバーフローすることとなる。オーバーフローした景品球は、機構盤に設けられた溢出通路を通って下受皿の払出出口へと導かれ、該下受皿に多くの遊技球が貯留されうるようになっている。
【０００５】
ところで、近年、特定の条件が満たされることにより特別遊技状態（いわゆる大当たり状態）が発生させられ、一度に多量の景品球を獲得可能なパチンコ機が知られるようになってきている。例えば、特別図柄表示装置及び可変入賞装置を備えたパチンコ機では、遊技球が作動口に入賞すること等に基づいて、特別図柄表示装置において、図柄の変動表示が開始される。また、大当たり図柄、外れリーチ図柄、及び、外れ図柄の中から、遊技状況に応じた停止図柄が選択され、その選択された停止図柄で前記変動表示が停止させられる。そして、大当たり図柄（例えば「７」「７」「７」等のゾロ目）で停止した場合には、特別変動入賞装置（可変入賞装置）が遊技者にとって有利な状態（大当たり状態）となるように切換えられる。より詳しくは、可変入賞装置のシャッタが傾動されて大入賞口が開放され、そこへ多くの遊技球を入賞させることができる。これにより、多数（例えば２４００個）の景品球が上受皿及び下受皿へと払い出される。
【発明の概要】
【発明が解決しようとする課題】
【０００６】
ところが、上記のようなパチンコ機では、払い出される景品球の数があまりにも多いため、上受皿及び下受皿では、景品球を収容しきれない。そのため、遊技者は、下受皿に貯留された景品球を、所定の操作（例えば下受皿に設けられたレバーをスライドさせる操作や、直接かき出す行為）によって、別途の景品球貯留箱（ドル箱と称される）へと移す必要があった。その結果、遊技者によっては、当該操作を億劫と感じたりする場合が生じたりするおそれがあった。また、折角大当たり状態が発生しても、当該操作にも気を配らなければならず、遊技に集中できなかったり、興趣が削がれたりするおそれがあった。
【０００７】
本発明は、上記例示した問題等に鑑みてなされたものであって、その目的は、パチンコ機等の遊技機において、興趣の低下を抑制することのできる遊技機を提供することにある。
【課題を解決するための手段】
【０００８】
上記の目的を達成するため、本発明においては、
外枠と、
前記外枠に対し開閉可能に設けられてなる前面枠と、
前記前面枠に直接又は間接的に設けられ、遊技球が流下しうる遊技領域を有してなる遊技盤と、
前記遊技盤の前側において開閉可能に設けられ、前記遊技領域を視認可能な透明板を有してなる透明板扉枠と、
前記遊技盤の裏面側に設けられ、球払出装置が設けられる機構盤と、
前記透明板よりも下側に設けられ、前記球払出装置により払い出される遊技球を貯留可能であり、遊技球を遊技球発射部の方へ案内可能な上球受部と、
前記上球受部よりも下方に設けられ、遊技球を貯留可能であり、操作部が設けられるとともに底部には開口部及び閉鎖部材が設けられ、前記操作部が操作されることで、前記閉鎖部材が移動して前記開口部が開口状態となり、遊技球を落下させることのできる下球受部と
を備える遊技機において、
前記下球受部は、前記透明板よりも前面側に突出する下球受部突出部と、前記透明板よりも奥側に拡張形成され最奥が前記遊技盤の後面よりも奥側に位置する下球受部拡張部とを備え、かつ、
最上部において前記上球受部に開口し、かつ、奥側から遊技球が入球可能となるようセパレータで区画された連通路入口部を有するとともに、前記上球受部に払い出された遊技球を、前記機構盤を介さずに前記下球受部の下球受部拡張部へと下降させる連通路を設け、
前記上球受部には、払い出された遊技球を、前記連通路入口部よりも前記遊技球発射部の方へ優先的に案内するガイド部を前記セパレータとは別に設け、
さらに、前記下球受部内の遊技球を前記下球受部内に均等に充填させるためのバイブレータを設けたことを特徴とする。
【発明の効果】
【０００９】
本発明によれば、パチンコ機等の遊技機において、興趣の低下を抑制することができる。
【図面の簡単な説明】
【００１０】
【図１】一実施の形態におけるパチンコ機を示す正面図である。
【図２】ガラス扉枠を開放した状態における前面枠を示す斜視図である。
【図３】図１のＪ−Ｊ線断面図であって、（ａ）は、上受皿に景品球等が優先的に案内される状態を示し、（ｂ）は、連通路の方へ景品球等が案内される状態を示す図である。
【図４】図１のＫ−Ｋ線断面図である。
【発明を実施するための形態】
【００１１】
以下、遊技機をパチンコ遊技機（以下、単に「パチンコ機」という）に具体化した一実施の形態を、図面に基づいて詳細に説明する。
【００１２】
図１，２に示すように、パチンコ機１は、外枠２と、該外枠２の前部に設けられ、外枠２の一側部にて開閉可能に設けられた前面枠３とを備えている。また、その前面枠３の前面側には、透明板扉枠としてのガラス扉枠４が開閉自在に設けられている。ガラス扉枠４には、透明板としての一対のガラス板４ａ，４ｂが前後に所定間隔を隔てて取着されている。
【００１３】
前記前面枠３の後側（ガラス扉枠４の奥、外枠２の内側）には、樹脂製のミドルプレートＭを介して遊技盤５が着脱可能に装着されている（ミドルプレートＭを省略して、直接遊技盤５を装着してもよい）。この遊技盤５の前面には、普通入賞口６、可変入賞装置７、作動口８、可変表示装置９、内側案内レール（内レール）１０、外側案内レール（外レール）１１等が配設されている。ここで、内レール１０及び外レール１１は、遊技球発射部より発射された遊技球Ｂを遊技盤５の上部に案内するためのガイド部材であって、略円弧状に敷設されている。
【００１４】
また、前記ガラス扉枠４の下側において、前面枠３には、前飾枠１２が開閉可能に設けられている。前飾枠１２には、上受皿１３が設けられている。一方、前面枠３の下部には、前記上受皿１３よりも下方位置に前記ミドルプレートＭを介して下受皿１４が設けられているとともに、遊技球発射部に対応してハンドル１５が設けられている。なお、下受皿１４の底部には、図示しない開口部及びシャッタが設けられているとともに、遊技者側には操作レバー１４ａが設けられている。かかる構成により、遊技者が操作レバー１４ａをスライド操作させることで、シャッタがスライドして開口部が開口状態となり、下受皿１４に貯留されていた遊技球Ｂ又は景品球を下方へと落下させることができる。すなわち、下受皿１４の下方に景品球貯留箱（図示略）が配置されていれば、当該落下する遊技球Ｂ又は景品球を当該貯留箱に貯留させることができるようになっている。
【００１５】
可変表示装置９は、遊技盤５のほぼ中央部に設けられ、ＬＣＤ（液晶ディスプレイ）よりなる表示部を備えており、ここに複数の図柄列が表示される。例えば、これらの図柄列として左図柄列、中図柄列及び右図柄列の３つの図柄列（図示略）が表示される（それ以外の数の図柄列が表示されてもよい）。
【００１６】
各図柄列は、基本的には、複数種類の図柄によって構成されており、これらの図柄は、特別遊技図柄としての大当たり図柄、外れリーチ図柄及び外れ図柄のいずれかになりうる。可変表示装置９の表示部では、各図柄列の図柄変動（回転変動）が、遊技球Ｂの作動口８への入賞に基づいて開始させられる。また、大当たり図柄、外れリーチ図柄、外れ図柄の中から１つが選択され、これが停止図柄として設定される。停止図柄とは、各図柄列が図柄変動を停止したときに表示される図柄である。本実施の形態では、図柄変動は、左図柄列、右図柄列、中図柄列の順に停止させられるが、これはあくまでも１例にすぎず、別の順序で停止させられるようにしてもよい。
【００１７】
大当たり図柄は、リーチ状態を経た後、遊技者に有利な特別遊技状態としての大当たり状態を発生させるための図柄である。詳しくは、全ての図柄列の変動が停止させられたとき、表示されている図柄の組合せが、予め定められた大当たりの組合せ、すなわち、同一種類の図柄が大当たりラインに沿って並んでいるときの同図柄の組合せ（例えば、「７」、「７」、「７」の図柄）となる場合がある。この組合せを構成する図柄が「大当たり図柄」である。大当たりの組合せが成立すると、特別電動役物が作動し（可変入賞装置７の大入賞口が開かれ）、遊技者にとって有利な大当たり状態が到来する。すなわち、大入賞口に、より多くの遊技球Ｂを入賞させることにより、より多くの景品球を獲得することが可能となる。
【００１８】
なお、リーチ状態とは、大当たり直前の状態をいう。リーチ状態には、右図柄列の図柄変動が、大当たりライン上において左図柄列の停止図柄と同一種類の図柄で停止する状態が含まれる。このリーチ状態には、中図柄列の図柄変動が、最終的に左・右両図柄列の停止図柄と同一種類の図柄（大当たり図柄）で停止して大当たり状態になるもの以外にも、異なる種類の図柄（これを「外れリーチ図柄」という）で停止して、大当たり状態とならないもの（以下、「外れリーチ状態」という）が含まれる。
【００１９】
遊技球Ｂの作動口８への入賞に基づいて各図柄列の図柄変動が開始させられることはすでに説明したが、この変動表示中にさらに遊技球Ｂが作動口８に入賞した場合には、その分の変動表示は、現在行われている変動表示の終了後に行われる。つまり、変動表示が待機（保留）される。この保留される変動表示の最大回数は、パチンコ機の機種毎に決められている。本実施の形態では保留最大回数が４回に設定されているが、これに限られるものではない。
【００２０】
なお、内レール１０の略上端部及び外レール１１間には、遊技球発射部より発射された遊技球Ｂが遊技盤５面上の遊技領域に放出される出口部が設けられている。遊技球Ｂは該出口部から遊技盤５の上部の遊技領域に案内された後、遊技盤５面に沿って落下する。このとき、前記一般入賞口６、可変入賞装置７の大入賞口、作動口８に遊技球Ｂが入賞することに基づいて、上受皿１３（場合によっては下受皿１４）に対し所定数の景品球が払い出されるようになっている。例えば、一旦大当たり状態が発生すると、可変入賞装置７の大入賞口の開放・閉鎖のサイクルが最大で１６回繰り返される。１回の大入賞口の開放中は１０個の遊技球Ｂが入賞可能で、１入賞当たり１５個の景品球が払い出されるとすると、１回の大当たり状態の発生につき約２４００個の景品球が払い出されるようになっている。
【００２１】
ところで、遊技盤５の裏面側には機構盤２１が装着されている。この機構盤２１は、樹脂材料よりなり、その上部及び側部には景品球を貯留するためのタンク、タンクレール及び景品球払出装置等（いずれも図示せず）が設けられている。また、図３に示すように、ミドルプレートＭには前記上受皿１３の払出出口１３ａと連通する開口通路２２が設けられている。さらに、前記機構盤２１には、景品球払出装置の下流側において、該景品球払出装置と前記開口通路２２との間を連通する景品球払出通路２３が形成されている。そして、一般入賞口６、可変入賞装置７、作動口８への遊技球Ｂの入賞が検出された場合には、図示しない制御装置によって、景品球払出装置が駆動され、これにより、景品球が所定個数ずつ（例えば１５個ずつ）、景品球払出通路２３、開口通路２２を通って上受皿１３の方へと導かれるようになっている。
【００２２】
次に、本実施の形態の特徴的部分について説明する。本実施の形態では、下受皿１４は、１回の大当たり状態の発生に際し払い出される景品球、すなわち、２４００個の景品球を貯留可能な収容容積を具備している。より詳しくは、下受皿１４は前飾枠１２の２分の１以上の幅を有しているとともに、図４に示すように、奥行き方向にも拡張形成されている。
【００２３】
また、本実施の形態では、図３（ａ）及び図４に示すように、上受皿１３の払出出口１３ａ近傍には、下方へ突出する連通路２４が設けられている。詳しくは、前記上受皿１３の払出出口１３ａ近傍には、セパレータ２５及び案内壁２６が設けられているとともに、これら２５，２６によって形成された溢出口から下部の連通路２４へと景品球（遊技球Ｂ）が案内されうるようになっている。なお、本実施の形態においては、溢出口近傍の流路の幅は、遊技球Ｂ（景品球）の直径の２倍以上に設定されている。これにより、景品球（遊技球Ｂ）が詰まってしまって落下が滞るのが抑制されるようになっている。また、溢出口近傍は、遊技者から容易に視認され、かつ、手の届く位置に設けられている。これにより、万が一、景品球（遊技球Ｂ）が詰まってしまった場合でも、遊技者が容易に気づき、かつ、詰まっている景品球（遊技球Ｂ）を手（指）で動かすという簡易な操作を行うことで、詰まりが容易に解消されるようになっている。
【００２４】
連通路２４は、樋状をなし、下端の開口部が下受皿１４の奥側に臨むようにして配設されている。
【００２５】
さらに、前記開口通路２２及び上受皿１３には、景品球払出通路２３から導かれる景品球を、常には上受皿１３（遊技球発射部側）へ優先的に案内するためのガイド部材２７Ａ，２７Ｂが設けられている。
【００２６】
併せて、遊技球発射部から発射された遊技球Ｂが遊技領域に放出されなかった場合に（当該戻ってきた遊技球Ｂをファウル球ＢＦと称する）、当該ファウル球ＢＦがミドルプレートＭに設けられた反射壁２８に当たり、同じくミドルプレートＭに設けられたポケット２９内に落下するようになっている（図２参照）。このポケット２９の下端部は、前記連通路２４に連通するようにして開口しており、前記ポケット２９内に落下したファウル球ＢＦも、連通路２４を通って下受皿１４へと落下するようになっている。
【００２７】
続いて、上記のように構成されてなる本実施の形態の作用及び効果について説明する。
【００２８】
遊技者が新たに遊技球Ｂを購入しようとした場合、或いは、一般入賞口６、可変入賞口７の大入賞口、作動口８等に遊技球Ｂが入賞した場合には、制御装置によって景品球払出装置が駆動される。これにより、景品球（遊技球Ｂ）が、景品球払出通路２３を通って、上受皿１３の払出出口１３ａへと払い出される。
【００２９】
このとき、上受皿１３が満タン状態でない場合（収容に余裕がある場合）には、図３（ａ）に示すように前記ガイド部材２７Ａ，２７Ｂによって景品球（遊技球Ｂ）が案内され、優先的に上受皿１３（遊技球発射部）の方へと導かれる。
【００３０】
これに対し、上受皿１３が満タン状態の場合（収容に余裕がない場合）には、図３（ｂ）、図４に示すように、景品球（遊技球Ｂ）は溢出口からオーバーフローし、連通路２４を通って下受皿１４へと落下する。このため、上受皿１３からオーバーフローする景品球等を、機構盤２１を介さずに下受皿１４へと落下させることができる。従って、機構盤２１には、上受皿１３からオーバーフローする景品球等を案内するための通路を設けずに済み、該機構盤２１の著しい簡素化が図られる。
【００３１】
また、本実施の形態における下受皿１４は、十分な収容容積を具備しており、１回の大当たり状態の発生に際し、多量の景品球が払い出されたとしても、全ての景品球は下受皿１４に貯留されうる。このため、大当たり状態が発生した場合に、遊技者が他の場所へ景品球等を移動させるような操作を行う必要がない。つまり、遊技者は、大当たり状態発生中に、下受皿１４に貯留された景品球を直接かき出したり、操作レバー１４ａをスライドさせたりする必要がない。従って、遊技者は、当該操作等を億劫と感じたり、当該操作に気を配る必要が生じたりする必要がなくなる。その結果、大当たり状態中での遊技を十分に堪能することができるとともに、興趣の飛躍的な向上を図ることができる。
【００３２】
さらに、少なくとも１回の大当たり状態が終了するまでは、下受皿１４が満タン状態にならないことから、当該大当たり状態の発生中に、満タン状態であることに起因して遊技球発射部からの発射が禁止されてしまうといった事態が回避される。その結果、上記事態によって遊技者が一時的にパニック状態に陥ったり、予定の景品球が払い出されないことによる不測の不利益を被ったりするという不具合を解消することができる。
【００３３】
併せて、１回の大当たり状態の終了時点で、下受皿１４に多量の景品球が貯留されうることから、かかる状態を見た遊技者は、景品球貯留箱に貯留されている景品球を見た場合に比べて、より一層確実に多量の景品球を獲得できたことを実感することができる。その結果、上記興趣の向上により一層の拍車がかけられることとなる。
【００３４】
さらに、仮に下受皿１４が満タン状態となったとしても、景品球等は、該下受皿１４から溢れるだけで、続々と払い出される景品球が景品球払出通路２３に蓄積されてしまうことがない。このため、下受皿１４に対し別途満タン状態を検出するためのセンサを設ける必要がない。従って、その分だけコストの増大を抑制することができる。また、仮に下受皿１４が満タンとなった場合でも遊技球発射部からの発射を禁止する必要がない。そのため、発射禁止制御を省略することも可能となり、かかる場合、制御の簡素化を図ることができる。
【００３５】
併せて、開口通路２２及び上受皿１３には、それぞれガイド部材２７Ａ，２７Ｂが設けられているため、景品球払出通路２３から導かれる景品球（遊技球Ｂ）は、常には上受皿１３（遊技球発射部側）の方へ優先的に案内される。従って、下受皿１４に優先的に貯留されてしまうことによる球切れ等の不具合を回避することができる。
【００３６】
加えて、ファウル球ＢＦは反射壁２８に当たった後、ポケット２９、連通路２４を通って下受皿１４に「ポトッ」と落下する。このため、遊技者は、ファウル球ＢＦが発生したことを容易に察知することができる。
【００３７】
さらにまた、本実施の形態では、連通路２４下端の開口部が下受皿１４の奥側に臨むようにして配設されているため、貯留された景品球を手でかき集めたりならしたりせずとも、景品球は下受皿１４内に有効に充填されうる。その結果、下受皿１４の貯留可能空間を有効に活用することができる。
【００３８】
尚、上述した実施の形態の記載内容に限定されず、例えば次のように実施してもよい。
【００３９】
（ａ）上記実施の形態では、下受皿１４を、奥行き方向にも拡張形成することとした。これに対し、少なくとも１回の大当たり状態の発生に際し払い出される景品球を貯留することができるのであれば、奥行き方向に拡張形成しない構成としてもよい。
【００４０】
（ｂ）上記実施の形態では、連通路２４下端の開口部を下受皿１４の奥側に臨むようにしたが、連通路２４の下端の開口部をそのまま下受皿１４に対向させて臨むようにしてもよい。この場合、連通路２４を通って落下する景品球（遊技球Ｂ）を、遊技者が視認できるようにするのが望ましい。このような構成とすることにより、落下する景品球（遊技球Ｂ）が、従来とは異なり、あたかもかき氷が皿に盛られるが如く下受皿１４に貯留されることとなる。そのため、これを見た遊技者は、たくさんの景品球が払い出されていることを実感することができ、しかも、従来にはない趣を堪能することができ、かかる意味で興趣の向上に拍車がかけられる。しかも、上から下へと景品球（遊技球Ｂ）が落下するため、下受皿１４の景品球（遊技球Ｂ）を手前側にかき集めるような行為をしなくとも、自然に景品球（遊技球Ｂ）が貯留・蓄積されうる。その結果、より一層遊技者にとっての手間を省くことができる。
【００４１】
また、連通路２４の開口部の左右方向の幅を広げることにより、景品球等を均等に下受皿１４内に充填させることができる。さらに、景品球等を均等に下受皿１４内に充填させるための他の手段（例えば、景品球等が散らばるよう突起を設けたり、四方に傾斜を設けたり、振動を起こしうるバイブレータを設けたり等）を採用をしてもよい。
【００４２】
（ｃ）前面枠３に直接下受皿１４等を設けてもよい。
【００４３】
（ｄ）下受皿１４に関しては、満タンスイッチ等の検出手段を設けないこととしてもよいし、別途設けることとしてもよい。
【００４４】
また、連通路２４等において遊技球Ｂ（景品球）が詰まったりした場合に景品球払出装置の方まで景品球等が及んでしまうのを防止するため、景品球払出通路の途中に、別途満タンスイッチ等の検出手段を設けることとしてもよい。なお、この場合には、満タンスイッチ等の検出手段は、払出出口１３ａ付近に設けるのが望ましい。
【００４５】
（ｅ）上記実施の形態では、透明板として、ガラス板４ａ，４ｂを採用したが、透明性を有していれば、樹脂板を採用してもよい。
【００４６】
（ｆ）上記実施の形態におけるセパレータ２５、案内壁２６、ガイド部材２７Ａ，２７Ｂ、反射壁２８、ポケット２９の少なくとも１つを省略する構成としてもよい。
【００４７】
（ｇ）上記実施の形態では言及しなかったが、下受皿１４に溝を設けておいて、下受皿１４からオーバーフローする景品球等を当該溝から案内せしめて景品球貯留箱（通称ドル箱）に落下させるような構成としてもよい。かかる構成とすることで、下受皿１４に設けられている球抜きレバーを省略することができる。
【００４８】
（ｈ）本発明は、上記実施の形態とは異なるタイプのパチンコ機にも適用できる。従って、可変表示装置９等のないパチンコ機や、他の役物を備えたパチンコ機にも応用できる。また、本発明は、パチンコ機以外にも雀球、アレンジボール等の遊技機にも応用可能である。
【００４９】
（ｉ）連通路２４を介して景品球等をほぼ垂直に落下させるように構成してもよい。
【００５０】
（ｊ）連通路２４を設けない構成としてもよい。すなわち、機構盤２１に溢出口及び溢出通路を設け、溢出口からオーバーフローした景品球を、溢出通路を通らしめて下受皿の払出出口へと導くようにしてもよい。
【００５１】
（ｋ）上記実施の形態では、１回の大当たり状態の発生に際し払い出される景品球数を貯留可能としたが、２回以上の大当たり状態の発生に際し払い出される景品球数を貯留可能としてもよい。また、下受皿１４のみならず、上受皿１３と下受皿１４とを合わせて１回の大当たり状態の発生に際し払い出される景品球数を貯留可能としてもよい。さらに、１回の大当たり状態の発生に際し払い出される景品球の数は、上記実施の形態の数値に何ら限定されるものではない。但し、本発明の趣旨に鑑みれば、１回の大当たり状態の発生に際し払い出される景品球の数は、１０００個以上４０００個以下が望ましく、より望ましくは１８００個以上３０００個以下であり、２０００個以上２５００個以下であればより一層望ましい。
【００５２】
以下に、上記実施の形態から把握できる技術的思想について記載する。
【００５３】
（１）遊技球及び景品球の少なくとも一方を貯留可能な上受皿と、
前記上受皿よりも下方に設けられた下受皿と
を備え、特定の条件を満たすことを必要条件に、特別遊技状態を発生させ、多量の景品球を前記上受皿及び下受皿の少なくとも一方へ払い出し可能とした遊技機において、
前記上受皿及び下受皿の少なくとも一方は、少なくとも１回の前記特別遊技状態の発生に際し払い出される景品球を貯留可能な収容容積を具備していることを特徴とする遊技機。
【００５４】
（２）前記景品球は一旦前記上受皿の方へと払い出されるように構成されているとともに、前記上受皿からオーバーフローする遊技球及び景品球の少なくとも一方を前記下受皿の方へと導出可能となっていることを特徴とする遊技機。
【００５５】
（３）前記１回の前記特別遊技状態の発生に際し払い出される景品球数は、１０００個以上４０００個以下であり、望ましくは１８００個以上３０００個以下であり、さらに望ましくは２０００個以上２５００個以下であることを特徴とする遊技機。
【００５６】
（４）前記上受皿からオーバーフローした遊技球及び景品球の少なくとも一方を直接前記下受皿へ下降させるための連通路を前記上受皿に設けたことを特徴とする遊技機。
【００５７】
（５）該遊技機は景品球払出通路を有してなる機構盤を（遊技盤の裏面側に）備えているとともに、前記上受皿には、下端の開口部が前記下受皿に臨むよう連通路を設けるとともに、前記上受皿からオーバーフローする遊技球及び景品球の少なくとも一方を、前記機構盤を介さずに、かつ、前記連通路を介して前記下受皿へと下降させるようにしたことを特徴とする遊技機。
【００５８】
（６）前記連通路の下端の開口部は前記下受皿から離間しており、前記連通路を通って落下する遊技球及び景品球の少なくとも一方を、遊技者が視認できるようにしたことを特徴とする遊技機。
【００５９】
（７）前記上受皿及びその近傍の少なくとも一方には、払い出される景品球を優先的に上受皿側に案内するためのガイド部材を設けたことを特徴とする遊技機。
【００６０】
（８）前記下受皿の景品球及び遊技球の少なくとも一方の充填率を向上させる手段を設けたことを特徴とする遊技機。
【符号の説明】
【００６１】
１…遊技機としてのパチンコ機、２…外枠、３…前面枠、４…ガラス扉枠、５…遊技盤、１２…前飾枠、１３…上受皿、１４…下受皿、２１…機構盤、２３…景品球払出通路、２４…連通路。
【図１】
0004618382.tif 000002
【図２】
0004618382.tif 000003
【図３】
0004618382.tif 000004
【図４】
0004618382.tif 000005